【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
綴じ処理装置によって綴じられる用紙を搬送することのできる画像形成装置であって、
前記綴じ処理装置は、前記綴じ処理装置の用紙挿入部にユーザによって差し込まれた用紙を綴じることもでき、
前記画像形成装置は、
用紙に画像を形成する画像形成手段と、
前記用紙挿入部から用紙を抜くことを求めるメッセージを表示する表示手段と、
を有することを特徴とする画像形成装置。
【請求項２】
前記綴じ処理装置は、前記用紙挿入部に用紙が差し込まれていることを検出する検出手段を更に有し、
前記表示手段は、前記検出手段の検出結果に基づき、前記用紙挿入部から用紙を抜くことを示すメッセージを表示することを特徴とする請求項１に記載の画像形成装置。
【請求項３】
前記綴じ処理装置は、前記検出手段により前記用紙挿入部に用紙が差し込まれていることが検出された状態で、用紙を綴じるためのユーザ操作を受け付け、前記用紙挿入部に差し込まれている用紙を綴じることを特徴とする請求項２に記載の画像形成装置。
【請求項４】
前記表示手段は、前記検出手段が前記用紙挿入部に用紙が差し込まれていることを検出していない場合、前記メッセージを表示しないことを特徴とする請求項２又は３に記載の画像形成装置。
【請求項５】
前記用紙挿入部は、ユーザが用紙を差し込むことのできる開口部を有することを特徴とする請求項１乃至４のいずれか一項に記載の画像形成装置。
【請求項６】
前記ユーザ操作は、ユーザが所定のキーを押す操作であることを特徴とする請求項３に記載の画像形成装置。
【請求項７】
前記画像形成装置は、前記綴じ処理装置によって綴じられる用紙であって前記画像形成手段により画像が形成された用紙を搬送することを特徴とする請求項１乃至６のいずれか一項に記載の画像形成装置。
【請求項８】
前記用紙挿入部にユーザによって差し込まれた用紙は、前記画像形成装置から前記綴じ処理装置が用紙を綴じる位置まで搬送された用紙ではなく、前記用紙挿入部にユーザが直接差し込んだ用紙であることを特徴とする請求項１乃至７のいずれか一項に記載の画像形成装置。
【請求項９】
前記検出手段による検出結果に基づき、前記表示手段を点灯する制御手段を更に有し、
前記表示手段は、前記制御手段により点灯された後に前記メッセージを表示することを特徴とする請求項２乃至４のいずれか一項に記載の画像形成装置。
【請求項１０】
前記表示手段は、前記用紙挿入部に差し込まれたままになっている用紙を抜くことを求めるメッセージを表示することを特徴とする請求項１乃至９のいずれか一項に記載の画像形成装置。
【請求項１１】
表示手段と、
用紙に画像を形成する画像形成手段と、
前記画像形成手段から搬送されてきた用紙を綴じる綴じ手段と、
前記綴じ手段が綴じることのできる位置であって、ユーザが用紙を差し込むことのできる前記位置に設けられた用紙挿入部と、
前記用紙挿入部に差し込まれている用紙があることを検出する検出手段と、を有し
前記表示手段は、前記用紙挿入部から用紙を抜くことを求めるメッセージを表示することを特徴とする画像形成システム。
【請求項１２】
前記用紙挿入部は、ユーザが用紙を差し込むことができる開口部を有することを特徴とする請求項１１に記載の画像形成システム。
【請求項１３】
前記綴じ手段は更に、前記画像形成手段から搬送されずにユーザにより前記用紙挿入部に差し込まれた用紙を綴じることを特徴とする請求項１１または１２に記載の画像形成システム。
【請求項１４】
前記表示手段は、前記検出手段の検出結果に基づき、前記メッセージを表示することを特徴とする請求項１１乃至１３のいずれか一項に記載の画像形成システム。
【請求項１５】
前記検出手段による検出結果に基づき、前記表示手段を点灯させる制御手段を更に有し、
前記表示手段は、前記制御手段により前記表示手段が点灯された後に前記メッセージを表示することを特徴とする請求項１１乃至１４のいずれか一項に記載の画像形成システム。
【請求項１６】
綴じ処理装置によって綴じられる用紙を搬送することのできる画像形成装置であって、
前記綴じ処理装置は、前記綴じ処理装置の用紙挿入部にユーザによって差し込まれた用紙を綴じることもでき、前記画像形成装置は、
用紙に画像を形成する画像形成手段と、
前記用紙挿入部に用紙が差し込まれていることをユーザに通知するメッセージを表示する表示手段と、
を有することを特徴とする画像形成装置。
【請求項１７】
前記綴じ処理装置は、前記用紙挿入部に用紙が差し込まれていることを検出する検出手段を有し、
前記表示手段は、前記検出手段の検出結果に基づき、前記メッセージを表示することを特徴とする請求項１６に記載の画像形成装置。
【請求項１８】
前記綴じ処理装置は、前記検出手段により前記用紙挿入部に用紙が差し込まれていることが検出された状態で、用紙を綴じるユーザ操作を受け付け、前記用紙挿入部に差し込まれている用紙を綴じることを特徴とする請求項１７に記載の画像形成装置。
【請求項１９】
前記検出手段による検出結果に基づき、前記表示手段を点灯する制御手段を更に有し、
前記表示手段は、前記制御手段により点灯された後に前記メッセージを表示することを特徴とする請求項１７又は１８に記載の画像形成装置。
【請求項２０】
前記用紙挿入部は、前記綴じ処理装置の外からユーザが用紙を差し込むことができる開口部を有することを特徴とする請求項１６乃至１９のいずれか一項に記載の画像形成装置。
【請求項２１】
綴じ処理装置によって綴じられる用紙を搬送することのできる画像形成装置であって、
前記綴じ処理装置は、ユーザによって前記綴じ処理装置の用紙挿入部に差し込まれた用紙を綴じることもでき、前記画像形成装置は、
用紙に画像を形成する画像形成手段と、
前記用紙挿入部に用紙があることの検出に基づき、所定のメッセージを表示する表示手段と、
を有することを特徴とする画像形成装置。
【請求項２２】
前記用紙挿入部は、前記綴じ処理装置の外からユーザが用紙を差し込むことができる開口部を有することを特徴とする請求項２１に記載の画像形成装置。
【請求項２３】
前記用紙挿入部にユーザによって差し込まれた用紙は、前記画像形成装置から前記綴じ処理装置が用紙を綴じる位置まで搬送された用紙ではなく、前記用紙挿入部にユーザが直接差し込んだ用紙であることを特徴とする請求項２１又は２２に記載の画像形成装置。
【請求項２４】
前記所定のメッセージは、前記用紙挿入部から用紙を抜くことを求めるメッセージであることを特徴とする請求項２１乃至２３のいずれか一項に記載の画像形成装置。
【請求項２５】
用紙に画像を形成する画像形成手段を有し、綴じ処理装置によって綴じられる用紙を搬送することのできる画像形成装置の制御方法であって、
前記綴じ処理装置は、前記綴じ処理装置の用紙挿入部にユーザによって差し込まれた用紙を綴じることもでき、
前記制御方法は、
前記用紙挿入部から用紙を抜くことを求めるメッセージを表示する表示工程を有することを特徴とする画像形成装置の制御方法。
【請求項２６】
前記綴じ処理装置において前記用紙挿入部に用紙が差し込まれていることを検出する検出工程を更に有し、
前記表示工程では、前記検出工程における検出結果に基づき、前記用紙挿入部から用紙を抜くことを示すメッセージを表示することを特徴とする請求項２５に記載の画像形成装置の制御方法。
【請求項２７】
前記画像形成装置は、前記綴じ処理装置によって綴じられる用紙であって前記画像形成手段により画像が形成された用紙を搬送することを特徴とする請求項２５又は２６に記載の画像形成装置の制御方法。
【請求項２８】
前記検出工程における検出結果に基づき、表示手段を点灯する制御工程を更に有し、
前記表示工程では、前記制御工程において前記表示手段が点灯された後に前記メッセージを表示することを特徴とする請求項２６に記載の画像形成装置の制御方法。
【手続補正２】
【補正対象書類名】明細書
【補正対象項目名】発明の名称
【補正方法】変更
【補正の内容】
【発明の名称】画像形成装置及びその制御方法、並びに画像形成システム
【手続補正３】
【補正対象書類名】明細書
【補正対象項目名】０００１
【補正方法】変更
【補正の内容】
【０００１】
本発明は、画像形成装置及びその制御方法、並びに画像形成システムに関する。
【手続補正４】
【補正対象書類名】明細書
【補正対象項目名】００１０
【補正方法】変更
【補正の内容】
【００１０】
上記目的を達成するために本発明の一態様に係る画像形成装置は、綴じ処理装置によって綴じられる用紙を搬送することのできる画像形成装置であって、前記綴じ処理装置は、前記綴じ処理装置の用紙挿入部にユーザによって差し込まれた用紙を綴じることもでき、前記画像形成装置は、用紙に画像を形成する画像形成手段と、前記用紙挿入部から用紙を抜くことを求めるメッセージを表示する表示手段と、を有することを特徴とする。